【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
波形状部を備える帯状の波形状付板素材を複数積層し、波形状付板素材を中央から巻いていくことで、断面が蜂の巣状のハニカム担体を形成し、このハニカム担体を筒部材に嵌めたハニカム金属担体において、
前記ハニカム担体の中心部に前記波形状付板素材を巻くことで円筒部を形成し、この円筒部に連ねて外方にハニカム部を形成し、巻き終端を筒部材の内面に一体的に固定したことを特徴とするハニカム金属担体。
【請求項２】
前記円筒部は、両端に切り欠き部を形成したことを特徴とする請求項１記載のハニカム金属担体。
【請求項３】
帯状の板の中央から一方を平らな部位とし、他方に波形状部を形成した波形状付板素材を複数成形し、
波形状付板素材の波形状部に別の波形状付板素材の平らな部位が重なるように交互に重ねて、中央を中心軸にして巻くことで円筒部を形成し、
さらに巻いていくことで断面が蜂の巣状のハニカム担体を形成し、
ハニカム担体を筒部材に嵌めた後、筒部材の内面にハニカム担体の巻き終端を固定することを特徴とするハニカム金属担体の製造方法。
【手続補正２】
【補正対象書類名】明細書
【補正対象項目名】０００７
【補正方法】変更
【補正の内容】
【０００７】
請求項１に係る発明は、波形状部を備える帯状の波形状付板素材を複数積層し、波形状付板素材を中央から巻いていくことで、断面が蜂の巣状のハニカム担体を形成し、このハニカム担体を筒部材に嵌めたハニカム金属担体において、ハニカム担体の中心部に波形状付板素材を巻くことで円筒部を形成し、この円筒部に連ねて外方にハニカム部を形成し、巻き終端を筒部材の内面に一体的に固定したことを特徴とする。
【手続補正３】
【補正対象書類名】明細書
【補正対象項目名】０００９
【補正方法】変更
【補正の内容】
【０００９】
請求項３に係る発明は、帯状の板の中央から一方を平らな部位とし、他方に波形状部を形成した波形状付板素材を複数成形し、波形状付板素材の波形状部に別の波形状付板素材の平らな部位が重なるように交互に重ねて、中央を中心軸にして巻くことで円筒部を形成し、さらに巻いていくことで断面が蜂の巣状のハニカム担体を形成し、ハニカム担体を筒部材に嵌めた後、筒部材の内面にハニカム担体の巻き終端を固定することを特徴とする。
【手続補正４】
【補正対象書類名】明細書
【補正対象項目名】００１０
【補正方法】変更
【補正の内容】
【００１０】
請求項１に係る発明では、ハニカム担体の中心部に波形状付板素材を巻くことで円筒部を形成し、この円筒部に連ねて外方にハニカム部を形成し、巻き終端を筒部材の内面に一体的に固定したので、自動車又は自動二輪車の排気ガスの熱によってハニカム担体が膨脹すると、円筒部に隣接したハニカム部が変形して波形状付板素材の伸びを吸収する。その結果、殆どのハニカム部は変形せず、熱膨張によるハニカム部の破断を防止することができる。
【手続補正５】
【補正対象書類名】明細書
【補正対象項目名】００１１
【補正方法】変更
【補正の内容】
【００１１】
また、ハニカム担体の中心部に波形状付板素材を巻くことで円筒部を形成し、この円筒部に連ねて外方にハニカム部を形成し、巻き終端を筒部材の内面に一体的に固定したので、巻き終端、つまり波形状付板素材の両端は筒部材に固定される。従って、ハニカム担体の動きを防止することができるとともに、振動によるハニカム担体の破断を防止することができる。
【手続補正６】
【補正対象書類名】明細書
【補正対象項目名】００１２
【補正方法】変更
【補正の内容】
【００１２】
請求項２に係る発明では、円筒部は、両端に切り欠き部を形成したので、排気ガスによってハニカム担体が加熱され、波形状付板素材が膨脹して伸びると、切り欠き部の縁が自由に移動して、伸びを吸収する。従って、熱膨張によるハニカム部の変形をより防止することができるという利点がある。
【手続補正７】
【補正対象書類名】明細書
【補正対象項目名】００１３
【補正方法】変更
【補正の内容】
【００１３】
請求項３に係る発明では、帯状の板の中央から一方を平らな部位とし、他方に波形状部を形成した波形状付板素材を複数成形し、波形状付板素材の波形状部に別の波形状付板素材の平らな部位が重なるように交互に重ねて、中央を中心軸にして巻くことで円筒部を形成し、さらに巻いていくことで断面が蜂の巣状のハニカム担体を形成し、ハニカム担体を筒部材に嵌めた後、筒部材の内面にハニカム担体の巻き終端を固定するので、円筒部にハニカム担体の巻き終端、つまり波形状付板素材の両端を容易に固定することができ、結果的に、温度の変化や振動に対するハニカム担体の強度を高めるのに手間がかからないという利点がある。
【手続補正８】
【補正対象書類名】明細書
【補正対象項目名】００１５
【補正方法】変更
【補正の内容】
【００１５】
ハニカム金属担体１１は、ハニカム担体（巻きハニカム担体）１２と、巻きハニカム担体１２を覆う筒部材１３と、筒部材１３に巻きハニカム担体１２を固定する溶接部１４，１５とからなる。  巻きハニカム担体１２は、断面が蜂の巣状で、中心部１６に円筒部１７を形成し、円筒部１７に連ねて外方（矢印ａ１，ａ１の方向）にハニカム部１８を形成し、ハニカム部１８に連ねて外方に巻き終端１９（図７も参照），２１（図７も参照）を形成し、巻き終端１９，２１を筒部材１３の内面２２（図７も参照）に一体的に溶接部１４，１５で固定したものである。２３は波形状付板素材、２４は波形状付板素材２３（図５参照）の波形状部、２５は波形状付板素材２３の中央、Ｗはハニカム金属担体１１の幅を示す。
【手続補正９】
【補正対象書類名】明細書
【補正対象項目名】００２９
【補正方法】変更
【補正の内容】
【００２９】
図７は、本発明の製造方法で行うハニカム担体の組付けを説明する図である。
さらに巻き回すことでハニカム部１８を形成するとともに、巻き終えることで断面が蜂の巣状の巻きハニカム担体１２を形成する。
最後に、巻きハニカム担体１２を筒部材１３に矢印ａ５のように嵌めた後、筒部材１３の内面２２に巻きハニカム担体１２の巻き終端１９・・・，２１・・・を固定する。
【手続補正１０】
【補正対象書類名】明細書
【補正対象項目名】００４６
【補正方法】変更
【補正の内容】
【００４６】
【図１】本発明のハニカム金属担体の説明図
【図２】図１の２−２線断面図
【図３】図２の３部詳細図
【図４】本発明のハニカム金属担体の製造方法に用いる成形装置の模式図
【図５】本発明のハニカム金属担体の製造方法に用いる波形状付板素材の斜視図
【図６】本発明の製造方法で行う巻き回しを説明する図
【図７】本発明の製造方法で行うハニカム担体の組付けを説明する図
【図８】別の実施の形態のハニカム金属担体を説明する図
【図９】別の実施の形態に用いる波形状付板素材の斜視図
【図１０】図８の１０−１０線断面図
【図１１】図８の１１−１１線断面図
【図１２】図８の１２−１２線断面図
【図１３】別の実施の形態の作用図
【図１４】従来の技術を説明する図
【手続補正１１】
【補正対象書類名】明細書
【補正対象項目名】００４７
【補正方法】変更
【補正の内容】
【００４７】
１１…ハニカム金属担体、１２…ハニカム担体（巻きハニカム担体）、１３…筒部材、１６…巻きハニカム担体の中心部、１７…円筒部、１８…ハニカム部、１９，２１…巻き終端、２２…筒部材の内面、２３…波形状付板素材、２４…波形状部、２５…中央、６１…帯状の板、６３…一方、６４…平らな部位、６５…他方、６８…中心軸、７１…両端、７２，７２…切り欠き部。